(57)【要約】      （修正有）【課題】より立体的で三次元の炎のゆらぎを表現可能で、かつ、動力を与えることなくより長い時間ゆらぎを表現するろうそく型照明装置を提供する。【解決手段】ろうそく型照明装置は、本体１０と、本体に架設された架設部材２０と、略棒状のバランス部材３１と、バランス部材の一方端部に設けられた被投射部材３３と、バランス部材の他方端部に設けられた錘３５と、架設部材に一方端部及び他方端部の間に設けられバランス部材を架設部材に吊り下げるための吊り下げ部３９とを備えた被揺動部材３０と、被投射部材に光を投射する光源部材４０と、を備えている。【選択図】図１
2016143522.tif 000002
【特許請求の範囲】
【請求項１】
本体と、
前記本体に架設された架設部材と、
略棒状のバランス部材と、前記バランス部材の一方端部に設けられた被投射部材と、前記バランス部材の他方端部に設けられた錘と、吊り下げ部と、を有する被揺動部材と、
前記被投射部材に光を投射する光源部材と、を備えたことを特徴とするろうそく型照明装置。
【請求項２】
前記吊り下げ部は、前記被投射部材に設けられていることを特徴とする請求項１記載のろうそく型照明装置。
【請求項３】
前記吊り下げ部は、前記被投射部材の裏面側に設けられていることを特徴とする請求項１又は２に記載のろうそく型照明装置。
【請求項４】
前記吊り下げ部は、前記架設部材に前記一方端部及び他方端部の間に設けられていることを特徴とする請求項１又は２に記載のろうそく型照明装置。
【請求項５】
前記被投射部材と前記光源部材との間に、前記光源部材の光によって前記被投射部材に影が形成可能な遮蔽部材を配置してあることを特徴とする請求項１から４のいずれか１項に記載のろうそく型照明装置。
【請求項６】
前記遮蔽部材は、炎の外形を形成するための遮蔽板であることを特徴とする請求項５に記載のろうそく型照明装置。
【請求項７】
前記遮蔽部材は、ろうそくの芯を表現可能な影形成部材であることを特徴とする請求項５に記載のろうそく型照明装置。
【請求項８】
前記被揺動部材を揺動させるための揺動部材を備えていることを特徴とする請求項１から７のいずれか１項に記載のろうそく型照明装置。
【請求項９】
前記揺動部材は、前記被揺動部材に当たるような揺動片を有する電動モータであることを特徴とする請求項１から８のいずれか１項に記載のろうそく型照明装置。
【請求項１０】
前記揺動片は、ゴム、シリコン、ウレタン等のエラストマーで形成されていることを特徴とする請求項９に記載のろうそく型照明装置。
【請求項１１】
前記錘は、鎖であり、前記揺動片は前記鎖に当たることを特徴とする請求項９又は１０に記載のろうそく型照明装置。
【請求項１２】
前記揺動部材は、前記被揺動部材にエアを間欠的に噴射する間欠型エアブロー装置であることを特徴とする請求項８に記載のろうそく型照明装置。
【請求項１３】
前記揺動部材は、ソレノイドアクチュエータであり、前記錘は磁性体であることを特徴とする請求項８に記載のろうそく型照明装置。
【請求項１４】
前記揺動部材は、前記被揺動部材に設けられた振動モータであることを特徴とする請求項８に記載のろうそく型照明装置。
【発明の詳細な説明】
【技術分野】
【０００１】
本発明は、ろうそく型照明装置に関する。
【背景技術】
【０００２】
従来、ゆらゆらと揺れるろうそくの炎を表現する装置としては、第１のステージおよび第２のステージを備えた内部空間を含むハウジングと、第１のステージの中へ延びる時間変化する電磁場を発生させる駆動機構と、第１の端部上の第１の磁石および第２の端部上の第２の磁石を備え、第１のステージの内部空間内に旋回可能に取り付けられた第１のステージ振子部材であって、第１のステージ振子部材の第１の端部が駆動機構に隣接して配置されていることによって、第１の磁石は前記時間変化する電磁場と相互作用する、第１のステージ振子部材と、第１のステージ振子部材の第２の端部に隣接して配置された第１の端部上の磁石を含み、第２のステージの内部空間内に旋回可能に取り付けられた第２のステージ振子部材であって、第２のステージ振子部材の第２の端部から延びる炎シルエット要素を含む、第２のステージ振子部材と、炎シルエット要素上に選択的に光を送るための光源と、を含む装置が提案されている（特許文献１）。
【０００３】
しかし、かかる装置は、ステージ振り子部材がワイヤに直接通す形態であることから、振り子の揺れに制限があり二次元的である上、常に旋回するための動力を与えていないと短時間で止まってしまうという問題点があった。
【先行技術文献】
【特許文献】
【０００４】
【特許文献１】特表２０１２−５０４３１０号公報
【発明の開示】
【発明が解決しようとする課題】
【０００５】
本発明は、このような課題を鑑みされたものであり、より立体的で三次元の炎のゆらぎを表現可能であって、かつ動力を与えることなくより長い時間ゆらぎを表現することができるろうそく型照明装置を提供することを目的とする。
【課題を解決するための手段】
【０００６】
本発明は、上述の主目的を達成するために、以下の手段を採った。
【０００７】
本発明にかかるろうそく型照明装置は、
本体と、
前記本体に架設された架設部材と、
略棒状のバランス部材と、前記バランス部材の一方端部に設けられた被投射部材と、前記バランス部材の他方端部に設けられた錘と、吊り下げ部と、を有する被揺動部材と、
前記被投射部材に光を投射する光源部材と、を備えたことを特徴とする。
【０００８】
本発明にかかるろうそく型照明装置は、ろうそくの炎のゆらぎを光で再現する装置であり、被投射部材に光源部材からの光を投射した状態で、被揺動部材を揺らすことで投射された光が揺れて見えるようになる。この際に被揺動部材自体に架設部材を通すものではないので、三次元的に大きく揺らすことができ、本来の炎に似せたゆらぎを表現することができる。また、吊り下げる方式を採用するとともに錘を設けているので、直接被投射部材にワイヤを通す場合と比較してより長い時間揺らし続けることができる。
【０００９】
また、本発明にかかるろうそく型照明装置において、前記吊り下げ部は、前記被投射部材に設けられていることを特徴とするものであってもよい、吊り下げ部を被投射部材に設けることによって、被投射部材の一部を支点に揺らすことができるので、被投射部材の揺れ方をより本来のろうそくに近づけることができる。
【００１０】
さらに、本発明にかかるろうそく型照明装置において、前記吊り下げ部は、前記被投射部材の裏面側に設けられていることを特徴とするものであってもよい。かかる構成を採用することによって、吊り下げ部が正面から視認されることがなく美観に優れたろうそく型照明装置を提供することができる。
【００１１】
さらに、本発明にかかるろうそく型照明装置において、前記吊り下げ部は、前記架設部材に前記一方端部及び他方端部の間に設けられていることを特徴とするものであってもよい。ろうそくの炎のゆらぎを表現する被投射部材そのものに支点を有することなく、被投射部材部材から離れた位置に支点を有するため、被投射部材の可動範囲が広くより大きく、本来の炎に似せたゆらぎを表現することができる。また、バランス部材は吊り下げ部によって吊り下げられているのみであるので、被投射部材に直接支点がある場合と比較して、一旦、揺れると長い時間揺れを持続させることができる。
【００１２】
また、本発明にかかるろうそく型照明装置において、前記被投射部材と前記光源部材との間に、前記光源部材の光によって前記被投射部材に影が形成可能な遮蔽部材を配置してあることを特徴とするものであってもよい。かかる構成を採用することによって、光源部材から被投射部材に投射する光の形態や影を自由に表現することができるようになる。
【００１３】
さらに、本発明にかかるろうそく型照明装置において、前記遮蔽部材は、炎の外形を形成するための遮蔽板であることを特徴とするものであってもよい。かかる構成を採用することによって、被投射部材に表現される光をより炎の形に近づけることができる。
【００１４】
さらに、本発明にかかるろうそく型照明装置において、前記遮蔽部材は、ろうそくの芯を表現可能な影形成部材であることを特徴とするものであってもよい。かかる構成を採用することによって、ろうそくの芯を影で表現することができ、被投射部材に表現される光をより炎の形に近づけることができる。
【００１５】
さらに、本発明にかかるろうそく型照明装置において、前記被揺動部材を揺動させるための揺動部材を備えていることを特徴とするものであってもよい。かかる構成を採用することによって、より積極的に被投射部材を揺れさせることができるようになる。
【００１６】
さらに、本発明にかかるろうそく型照明装置において、前記揺動部材は、前記被揺動部材に当たるような揺動片を有する電動モータであることを特徴とするものであってもよい。電動モータの動きによって被揺動部材に当接させて揺らすものとしたものである。
【００１７】
さらに、本発明にかかるろうそく型照明装置において、前記揺動片は、ゴム、シリコン、ウレタン等のエラストマーで形成されていることを特徴とするものであってもよい。かかる構成を採用することによって、揺動片が被揺動部材に当たった際に発生する衝突音の発生を低減することができる。
【００１８】
さらに、本発明にかかるろうそく型照明装置において、前記錘は、鎖であり、前記揺動片は前記鎖に当たることを特徴とするものであってもよい。かかる構成を採用することによって、揺動片が鎖に当たることで鎖自体も揺れることになり、より複雑な揺れを再現することができる。また、揺動片自体が揺れることで、より長い時間、被投射部材を揺らすことができるようになる。
【００１９】
さらに、本発明にかかるろうそく型照明装置において、前記揺動部材は、前記被揺動部材にエアを間欠的に噴射する間欠型エアブロー装置であることを特徴とするものであってもよい。揺動部材にエアを吹き付けて揺動部材を揺らすものとしたものである。
【００２０】
さらに、本発明にかかるろうそく型照明装置において、前記揺動部材は、ソレノイドアクチュエータであり、前記錘は磁性体であることを特徴とするものであってもよい。磁力の力によって揺動部材を揺らすものとしたものである。
【００２１】
さらに、本発明にかかるろうそく型照明装置において、前記揺動部材は、前記被揺動部材に設けられた振動モータであることを特徴とするものであってもよい。振動モータの振動によって揺動部材を揺らすものとしたものである。
【図面の簡単な説明】
【００２２】
【図１】図１は、第１実施形態にかかるろうそく型照明装置１００の斜視図である。
【図２】図２は、第１実施形態にかかるろうそく型照明装置１００の別実施形態を示す斜視図である。
【図３】図３は、第２実施形態にかかるろうそく型照明装置１００の斜視図である。
【図４】図４は、第３実施形態にかかるろうそく型照明装置１００の斜視図である。
【図５】図５は、第４実施形態にかかるろうそく型照明装置１００の斜視図である。
【図６】図６は、第５実施形態にかかるろうそく型照明装置１００の斜視図である。
【図７】図７は、第６実施形態にかかるろうそく型照明装置１００の斜視図である。
【図８】図８は、第６実施形態にかかるろうそく型照明装置１００の断面図である。
【発明を実施するための形態】
【００２３】
本発明にかかるろうそく型照明装置１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。
【００２４】
（第１実施形態）
第１実施形態にかかるろうそく型照明装置１００が図１に示されている。図１は、第１実施形態にかかるろうそく型照明装置１００の斜視図である。
【００２５】
実施形態にかかるろうそく型照明装置１００は、主として、本体１０と、架設部材２０と、被揺動部材３０と、光源部材４０と、を備えている。
【００２６】
本体１０は、ろうそくの形態を模した外観を有する収容容器であり、架設部材２０、被揺動部材３０及び光源部材４０を内側に収容することができる収容領域αを有する。形状、色、大きさ等は特に限定するものではなく、要するに前述した構成部品を収容可能であればよい。
【００２７】
架設部材２０は、収容領域を跨ぐように架設された紐状又はワイヤ状の部材であり、被揺動部材３０を吊り下げるための部材である。細い紐状又はワイヤ状のものであれば、特に素材等は限定するものではない。例えば、ナイロン（登録商標）、ポリエチレン等の合成繊維や金属ワイヤ等が使用に好適である。金属ワイヤを使用すれば、形態保持力が高いので、図１に示すように真ん中近傍で屈曲したＶ字状に形成することで、吊り下げられる被揺動部材３０が架設部材２０の上を移動しにくくなり、吊り上げ位置を一点で安定させることができる。
【００２８】
被揺動部材３０は、略棒状のバランス部材３１と、このバランス部材３１の両側端部又は端部近傍にそれぞれ設けられる被投射部材３３及び錘３５と、を有している。バランス部材３１は、略中央に紐や針金等で作製された吊り下げ部３９が設けられており、この吊り上げ部材３９を前述した架設部材２０に取り付けることでバランス部材３１は略中央を支点にシーソー状にあらゆる方向へ揺動することができる。吊り下げ部３９は、ナイロン等を輪状にして架設部材２０を間に通して架設部材２０に通して取り付けたり、金属ワイヤの先端を折り曲げて架設部材２０に引っ掛けたりしても良い。被投射部材３３は、ろうそく状の炎を演出するために光源部材４０からの光を投射される部材である。好ましくは白色の炎状の形態をしたシート状又は板状のものを使用するとよいが、これに限定するものではない。例えば、炎の形態自体は光源部材４０の光によって表現されるので必ずしも炎状の形態でなく、四角形や円形であっても構わない。また、炎の色を被投射部材３３側で表現する場合には、光源部材４０の光を炎色であるオレンジ色の光源を使用してもよいが、炎に近いオレンジ色をした被投射部材３３を使用することによって炎の色を表現してもよい。被投射部材３３には、図１に示すように中央にろうそくの芯の暗い部分を再現するために、芯の相当する部分３３ａを黒色その他の暗色で塗っても良い。錘３５は、バランス部材３１の水平を保持するための錘である。水平を保つためのものであれば、特に限定するものではない。錘３５は、図１においては吊り下げているが、バランス部材３１の端部に直接取り付けても良いし、バランス部材３１内に配置してもよい。
【００２９】
光源部材４０は、被投射部材３３に炎状の光を投射するためのものであり、本体１０の被投射部材３３に対向する側に配置される。好ましくは、外側から視認することができないように、本体１０の内部に配置するとよい。光源部材４０は、好ましくはＬＥＤが使用される。ＬＥＤは平面発光型、砲弾型のいずれであってもよい。光の色は、炎色であるオレンジ色の光を発光するものを使用するほか、前述したように、白色の発光色のものを使用して、被投射部材３３に炎色を使用して色を演出してもよいし、図２に示すように、光源部材４０との被投射部材３３との間に炎色を有する透明な素材、例えばアクリル板等を介して色を演出してもよい。光源部材４０の光は、被投射部材３３に対して、炎の形態となるように投射される。炎の形態の光を投射する方法としては、斜め下方に光源部材４０を配置して、上方側に長く伸びるように光を当てることによって炎状に見せても良いし、被投射部材３３と光源部材４０との間に炎状に切り欠かれた遮蔽板（図示しない。）を配置したりすることで演出してもよい。
【００３０】
こうして作製されたろうそく型照明装置１００は、被揺動部材３０がバランス部材３１の中央で吊り下げられているだけであるので、安定性が低くわずかな風で揺れ、揺れが収まるまで非常に長い時間を要する。そのため、屋外等のように風がある場所で使用する場合にはなんらの揺動手段を有することなく、被当投射部材が風で揺れることによって、被投射部材３３に投射された光による炎がゆらゆらと揺れているように見せることができる。また、その揺れ方もバランス部材３１は吊り下げ部３９が取り付けられている部分を支点として上下左右いずれの方向にも揺れることができるので、本来の炎の揺れ方に近い三次元的な揺れ方を再現することができ、より本物の炎のように視認させることができる。
【００３１】
また、第１実施形態において、図２に示すように、ろうそくの芯を表現するために黒色その他の暗色を被投射部材３３に着色する代わりに、被投射部材３３と光源部材４０との間に光源部材４０からの光によって、芯の部分が影となるような遮蔽部材として影形成部材３７を配置してもよい。
【００３２】
また、第２実施形態においては、被投射部材３３のバランス部材３１ａ側の面を被投射面としているが、反対側の面３３ｂを被投射面としてもよい。この場合は、光源部材４０は、対向する側に設けられることになる。
（第２実施形態）
第２実施形態にかかるろうそく型照明装置１００が図３に示されている。第２実施形態にかかるろうそく型照明装置１００は、第１実施形態に対して、積極的に被揺動部材３０を揺動する揺動部材５０を備えている点が第１実施形態と異なる。その他の点は第１実施形態と同様であるので、説明を省略する。
【００３３】
第２実施形態にかかるろうそく型照明装置１００の揺動部材５０は、電動モータの先端に水平方向回転する略棒状の揺動片５１を設けてあり、回転する度に錘３５に当たるように配置されている。この際の揺動片５１の回転数は、１ｒｐｍから６０ｒｐｍに設定することが好ましい。揺動片５１の回転数は中間ギア等を介して調整してもよい。かかる揺動方法を使用することで、揺動片５１が一回転する度に炎が大きく揺れるので、より本来の炎に近い揺れ方を再現することができる。なお、揺動片５１は、錘３５に当たる際に衝突音が発生することを防止するために、ゴム、シリコン、ウレタン等のエラストマーを使用するとよい。
【００３４】
（第３実施形態）
第３実施形態にかかるろうそく型照明装置１００が図４に示されている。第３実施形態にかかるろうそく型照明装置１００は、第２実施形態にかかるろうそく型照明装置１００に対して、揺動部材５０が異なる。その他の点は第２実施形態と同様であるので、説明を省略する。
【００３５】
第３実施形態にかかるろうそく型照明装置１００の揺動部材５０は、エアを間欠的に噴射する間欠型エアブロー装置が設けてあり、一定の間隔でエアが錘３５に吹き付けるようになっている。これにより、被投射部材３３はゆらゆら揺れることができる。この方法によってもエアが吹き付けられた際に炎が大きく揺れるので、より本来の炎に近い揺れ方を再現することができる。なお、エアを吹き付ける方向は特に限定するものではなく、下から上に向かって噴射するようにしてもよい。そうすることにより、風が被投射部材３３にも吹きつけられ、より揺動しやすくすることができる。
【００３６】
（第４実施形態）
第４実施形態にかかるろうそく型照明装置１００が図５に示されている。第３実施形態にかかるろうそく型照明装置１００は、第２実施形態にかかるろうそく型照明装置１００に対して、揺動部材５０が異なる。その他の点は第２実施形態と同様であるので、説明を省略する。
【００３７】
第４実施形態にかかるろうそく型照明装置１００の揺動部材５０は、ソレノイドアクチュエータが設けられている。錘３５が磁性体で形成されており、ソレノイドアクチュエータに電流をながすことによって磁力が発生し、その度に錘３５を移動させることができる。これにより被揺動部材３０を揺らすことができ、これにより、被投射部材３３はゆらゆら揺れることができる。この方法によってもソレノイドアクチュエータが起動した際に炎が大きく揺れるので、より本来の炎に近い揺れ方を再現することができる。
【００３８】
（第５実施形態）
第５実施形態にかかるろうそく型照明装置１００が図６に示されている。第３実施形態にかかるろうそく型照明装置１００は、第２実施形態にかかるろうそく型照明装置１００に対して、揺動部材５０が異なる。その他の点は第２実施形態と同様であるので、説明を省略する。
【００３９】
第５実施形態にかかるろうそく型照明装置１００の揺動部材５０は、振動モータが錘３５に設けられている。かかる構成を採用することによって、振動モータが起動することによって、常に被揺動部材３０を揺らすことができる。
【００４０】
（第６実施形態）
第６実施形態にかかるろうそく型照明装置１００が図７に示されている。図７は、実施形態にかかるろうそく型照明装置１００の斜視図である。図８は、図７のＡ−Ａ断面図である。
【００４１】
第１実施形態にかかるろうそく照明装置は、図７及び図８に示すように、主として、本体１０と、架設部材２０と、被揺動部材３０と、光源部材４０と、を備えている。
【００４２】
本体１０は、ろうそくの形態を模した外観を有する収容容器であり、架設部材２０、被揺動部材３０及び光源部材４０を内側に収容することができる収容領域αを有する。形状、色、大きさ等は特に限定するものではなく、要するに前述した構成部品を収容可能であればよい。
【００４３】
架設部材２０は、収容領域を跨ぐように架設された紐状又はワイヤ状の部材であり、被揺動部材３０を吊り下げるための部材である。細い紐状又はワイヤ状のものであれば、特に素材等は限定するものではない。例えば、ナイロン（登録商標）、ポリエチレン等の合成繊維や金属ワイヤ等が使用に好適である。金属ワイヤを使用すれば、形態を保持する力が高いので、真ん中近傍で屈曲して形成することで、吊り下げられる被揺動部材３０が架設部材２０の上を移動しにくくなり、吊り上げ位置を一点で安定させることができる。
【００４４】
被揺動部材３０は、バランス部材３１と、このバランス部材３１の両側端部又は端部近傍にそれぞれ設けられる被投射部材３３及び錘３５と、を有している。バランス部材３１は、被投射部材３３と錘との間に配置され、被投射部材３３を水平に保つために設けられている。被投射部材３３は、ろうそく状の炎を演出するために光源部材４０からの光を投射される部材である。好ましくは白色の炎状の形態をしたシート状又は板状のものを使用するとよいが、これに限定するものではない。例えば、炎の形態自体は光源部材４０の光によって表現されるので必ずしも炎状の形態でなく、四角形や円形であっても構わない。また、炎の色を被投射部材３３側で表現する場合には、光源部材４０の光を炎色であるオレンジ色の光源を使用してもよいが、炎に近いオレンジ色をした被投射部材３３を使用することによって炎の色を表現してもよい。被投射部材３３には、中央にろうそくの芯の暗い部分を再現するために、芯の相当する部分３３ａを黒色その他の暗色で塗っても良い。被投射部材３３の裏面には吊り下げ部３９が設けられており、この吊り下げ部３９を前述した架設部材２０に取り付けることで被揺動部材３０は、吊り下げ部３９を支点にしてシーソー状にあらゆる方向へ揺動することができる。錘３５は、バランス部材３１の水平を保持するための錘である。水平を保つためのものであれば、特に限定するものではない。好ましくは、図１に示すように、垂下した紐状部材、より好ましくは適度に重量がある金属状の鎖等を使用するとよい。本実施形態においては、球鎖を使用している。垂下式の錘を使用することによって、錘自体が揺れることによって被揺動部材３０を揺らすことができるので、より長時間揺らすことができる。
【００４５】
光源部材４０は、第１実施形態と同様である。
【００４６】
本第６実施形態にかかるろうそく型照明装置１００も風等によって自然に揺れるので、揺動部材３０なしでも使用することができるが、第２実施形態から第５実施形態に示した揺動部材５０と組み合わせて使用してもよい。
【産業上の利用可能性】
【００４７】
上述した実施の形態で示すように、ろうそく型照明装置として利用することができる。
【符号の説明】
【００４８】
１０…本体、２０…架設部材、３０…被揺動部材、３１…バランス部材、
３３…被投射部材、３３ａ…部分、３５…錘、３７…影形成部材、
３９…吊り下げ部、４０…光源部材、５０…揺動部材、５１…揺動片、
１００…ろうそく型照明装置
【図１】
2016143522.tif 000003
【図２】
2016143522.tif 000004
【図３】
2016143522.tif 000005
【図４】
2016143522.tif 000006
【図５】
2016143522.tif 000007
【図６】
2016143522.tif 000008
【図７】
2016143522.tif 000009
【図８】
2016143522.tif 000010